【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
プロセッサが、無認可無線周波数スペクトル帯域を使用した送信のためのフレーム構造を識別すること、前記フレーム構造が、アクセス手順部分を含む少なくとも２つの特殊サブフレームを備え、前記少なくとも２つの特殊サブフレームが、調整可能な継続時間を有し、前記少なくとも２つの特殊サブフレームが、アップリンク特殊サブフレームとダウンリンク特殊サブフレームとを備える、と、
前記プロセッサが、リッスンビフォアトーク手順を実行すること、ここにおいて、前記リッスンビフォアトーク手順を実行することが、アップリンク特殊サブフレームの少なくとも一部分およびダウンリンク特殊サブフレームの少なくとも一部分において拡張クリアチャネルアセスメント（ｅＣＣＡ）手順を実行することを備える、と、
チャネル占有時間に関連する第１の値を識別することと、
前記第１の値に少なくとも部分的に基づいて第２の値を識別すること、前記第２の値が、成功したｅＣＣＡ手順が実行されたとき減分されるカウンタである、と、
前記第１の値と前記第２の値とに少なくとも部分的に基づいて前記調整可能な継続時間を動的に調整することと
を備える、ワイヤレス通信のための方法。
【請求項２】
前記フレーム構造が、時分割複信（ＴＤＤ）フレーム構造を備える、請求項１に記載の方法。
【請求項３】
前記ｅＣＣＡ手順が実行される前記少なくとも２つの特殊サブフレームのうちの前記少なくとも１つの前記アクセス手順部分を動的に調整すること
をさらに備える、請求項１に記載の方法。
【請求項４】
前記識別された第１の値が、４と３２との間の整数である、請求項１に記載の方法。
【請求項５】
前記少なくとも２つの特殊サブフレームのうちの少なくとも１つが、サイレント期間を備え、前記サイレント期間の継続時間が、前記第２の値に少なくとも部分的に基づく、請求項１に記載の方法。
【請求項６】
前記第２の値が０に等しいかどうかを決定すること
をさらに備える、請求項１に記載の方法。
【請求項７】
前記少なくとも２つの特殊サブフレームのうちの前記少なくとも１つの終わりに前記第２の値が０に等しくない場合、前記少なくとも２つの特殊サブフレームのうちの前記少なくとも１つの前記アクセス手順部分を越えて前記リッスンビフォアトーク手順を継続すること
をさらに備える、請求項６に記載の方法。
【請求項８】
前記第２の値が０に等しいと決定すると、情報信号を送信すること
をさらに備える、請求項６に記載の方法。
【請求項９】
前記情報信号が、チャネル使用ビーコン信号を備える、請求項８に記載の方法。
【請求項１０】
前記情報信号を送信するために前記少なくとも２つの特殊サブフレームのうちの前記少なくとも１つの前記アクセス手順部分の境界を動的に調整すること、前記境界の前記調整が、前記識別された第２の値に少なくとも部分的に基づく、
をさらに備える、請求項８に記載の方法。
【請求項１１】
前記第１の値が、アップリンク／ダウンリンク（ＵＬ／ＤＬ）構成に少なくとも部分的に基づいて識別される、請求項１に記載の方法。
【請求項１２】
前記第１の値が、前記無認可無線周波数スペクトル帯域のチャネルの負荷に少なくとも部分的に基づいて識別される、請求項１に記載の方法。
【請求項１３】
前記第１の値が、チャネルアクセス成功統計値に少なくとも部分的に基づいて識別される、請求項１に記載の方法。
【請求項１４】
前記チャネル占有時間に関連する前記第１の値を識別することが、ユニキャスト送信またはブロードキャスト送信を介して前記第１の値を受信することを備える、請求項１に記載の方法。
【請求項１５】
ユニキャスト送信またはブロードキャスト送信を介して前記識別された第１の値を送信すること
をさらに備える、請求項１に記載の方法。
【請求項１６】
前記第２の値に少なくとも部分的に基づいて前記リッスンビフォアトーク手順を基地局と同期させること
をさらに備える、請求項１に記載の方法。
【請求項１７】
前記第２の値が、ダウンリンクチャネル占有時間に少なくとも部分的に基づいて識別される、請求項１に記載の方法。
【請求項１８】
前記第２の値に少なくとも部分的に基づいて前記リッスンビフォアトーク手順をユーザ機器（ＵＥ）と同期させること
をさらに備える、請求項１に記載の方法。
【請求項１９】
ワイヤレス通信のための装置であって、
プロセッサと、
前記プロセッサと電子通信しているメモリと、
前記メモリに記憶された命令と
を備え、前記命令が、前記プロセッサによって、
プロセッサが、無認可無線周波数スペクトル帯域を使用した送信のためのフレーム構造を識別すること、前記フレーム構造が、アクセス手順部分を含む少なくとも２つの特殊サブフレームを備え、前記少なくとも２つの特殊サブフレームが、調整可能な継続時間を有し、前記少なくとも２つの特殊サブフレームが、アップリンク特殊サブフレームとダウンリンク特殊サブフレームとを備える、と、
前記プロセッサが、リッスンビフォアトーク手順を実行すること、ここにおいて、前記リッスンビフォアトーク手順を実行することが、アップリンク特殊サブフレームの少なくとも一部分およびダウンリンク特殊サブフレームの少なくとも一部分において拡張クリアチャネルアセスメント（ｅＣＣＡ）手順を実行することを備える、と、
チャネル占有時間に関連する第１の値を識別することと、
前記第１の値に少なくとも部分的に基づいて第２の値を識別すること、前記第２の値が、成功したｅＣＣＡ手順が実行されたとき減分されるカウンタである、と、
前記第１の値と前記第２の値とに少なくとも部分的に基づいて前記調整可能な継続時間を動的に調整することと
を行うように実行可能である、ワイヤレス通信のための装置。
【請求項２０】
ワイヤレス通信のための装置であって、
プロセッサが、無認可無線周波数スペクトル帯域を使用した送信のためのフレーム構造を識別するための手段、前記フレーム構造が、アクセス手順部分を含む少なくとも２つの特殊サブフレームを備え、前記少なくとも２つの特殊サブフレームが、調整可能な継続時間を有し、前記少なくとも２つの特殊サブフレームが、アップリンク特殊サブフレームとダウンリンク特殊サブフレームとを備える、と、
前記プロセッサが、リッスンビフォアトーク手順を実行するための手段、ここにおいて、前記リッスンビフォアトーク手順を実行することが、アップリンク特殊サブフレームの少なくとも一部分およびダウンリンク特殊サブフレームの少なくとも一部分において拡張クリアチャネルアセスメント（ｅＣＣＡ）手順を実行することを備える、と、
チャネル占有時間に関連する第１の値を識別するための手段と、
前記第１の値に少なくとも部分的に基づいて第２の値を識別するための手段、前記第２の値が、成功したｅＣＣＡ手順が実行されたとき減分されるカウンタである、と、
前記第１の値と前記第２の値とに少なくとも部分的に基づいて前記調整可能な継続時間を動的に調整するための手段と
を備える、ワイヤレス通信のための装置。
【請求項２１】
プロセッサが、無認可無線周波数スペクトル帯域を使用した送信のためのフレーム構造を識別すること、前記フレーム構造が、アクセス手順部分を含む少なくとも２つの特殊サブフレームを備え、前記少なくとも２つの特殊サブフレームが、調整可能な継続時間を有し、前記少なくとも２つの特殊サブフレームが、アップリンク特殊サブフレームとダウンリンク特殊サブフレームとを備える、と、
前記プロセッサが、リッスンビフォアトーク手順を実行すること、ここにおいて、前記リッスンビフォアトーク手順を実行することが、アップリンク特殊サブフレームの少なくとも一部分およびダウンリンク特殊サブフレームの少なくとも一部分において拡張クリアチャネルアセスメント（ｅＣＣＡ）手順を実行することを備える、と、
チャネル占有時間に関連する第１の値を識別することと、
前記第１の値に少なくとも部分的に基づいて第２の値を識別すること、前記第２の値が、成功したｅＣＣＡ手順が実行されたとき減分されるカウンタである、と、
前記第１の値と前記第２の値とに少なくとも部分的に基づいて前記調整可能な継続時間を動的に調整することと
をワイヤレス通信装置に行わせるようにプロセッサによって実行可能な命令を記憶する非一時的コンピュータ可読媒体。